(57)【要約】      （修正有） 【課題】従来のローラー式顔用マッサージ器よりもより優れたマッサージ効果が期待できる顔用マッサージローラーを提供する。【解決手段】長尺状把手部の先端に設けられたヘッド部の枠部内に円筒状の第１と第２と第３と第４と第５のローラー５，６，７，８，９をそれぞれ回転可能に軸支した顔用マッサージローラーにおいて、第１と第３と第５のローラーは、その回転中心軸５ｙ，７ｙ，９ｙがそれぞれ把手部の長軸方向に対して直交して互いに平行とし、第２と第４のローラーを、第３のローラーを挟んで略ハの字状となるように各回転中心軸６ｙ，８ｙが該第３のローラーの回転中心軸方向に対して予め定められた傾斜角度αを有するものとした顔用マッサージローラー。【選択図】図１
0003143397.tif 000002
【実用新案登録請求の範囲】
【請求項１】
長尺状把手部と、該把手部の先端に設けられたマッサージ用ヘッド部とを備えた顔用マッサージローラーにおいて、
前記ヘッド部は、前記把手部に一体的に形成された枠部と、該枠部内にそれぞれ回転可能に軸支され、滑り止め加工された表面を有する円筒状の第１と第２と第３と第４と第５のローラーを備え、
前記第１〜第５のローラーは、前記把手部の長軸方向に外側から順に並んで配置され、前記五本のローラーのうち、第１と第３と第５のローラーは、その回転中心軸がそれぞれ前記把手部の長軸方向に対して直交して互いに平行であり、
第２と第４のローラーは、前記第３のローラーを挟んで略ハの字状となるように各回転中心軸が該第３のローラーの回転中心軸方向に対して予め定められた傾斜角度を有することを特徴とする顔用マッサージローラー。
【請求項２】
前記第３のローラーの回転中心軸方向に対する第２と第４のローラーの回転中心軸の傾斜角度が、それぞれ０．２度〜２度の範囲内であることを特徴とする請求項１に記載の顔用マッサージローラー。
【請求項３】
前記第２と第４のローラーの回転中心軸方向長さが前記第１と第５のローラーの回転中心軸方向長さより長く、前記第３のローラーの回転中心軸方向長さが前記第２と第４のローラーの回転中心軸方向長さより長いことを特徴とする請求項１又は２に記載の顔用マッサージローラー。
【請求項４】
前記第１〜第５のローラーは、前記ヘッド部の表面側で、前記把手部長軸方向に沿って各ローラーの頂点を結ぶ曲線が前記枠部の上方に突出する略円弧を形成する配置であることを特徴とする請求項１〜３のいずれか１項に記載の顔用マッサージローラー。
【請求項５】
前記第２と第４のローラーの外径が、前記第３のローラーの外径より小さく、前記第１と第５のローラーの外径が、前記第２と第４のローラーの外径より小さいことを特徴とする請求項４に記載の顔用マッサージローラー。
【請求項６】
前記第１〜第５のローラーは、それぞれローラー両端の円筒内径に嵌合すると共にこの嵌合状態にて対応するローラーの端面を覆う一対のプラスチック製シャフト部材によって前記枠部に形成された軸受け部に軸支されていることを特徴とする請求項１〜５のいずれか１項に記載の顔用マッサージローラー。
【請求項７】
前記ヘッド部の裏面を覆うように前記枠部に取り付けられた裏蓋を備え、該裏蓋の内側の前記第１〜５のローラーとの間に磁石と赤外線放射セラミックスが装着されていることを特徴とする請求項１〜６のいずれか１項に記載の顔用マッサージローラー。
【考案の詳細な説明】
【技術分野】
【０００１】
本考案は、顔に対してマッサージを行う手持ちのマッサージローラーに関するものである。
【背景技術】
【０００２】
従来から、いつでも簡単に顔面のマッサージを行える手持ちのマッサージ器として、長尺状把手部を把持してその先端部に回転可能に設けられた複数のローラーやボールを顔面に押し当てながら往復移動させるものがある。
【０００３】
このマッサージ器では、複数のローラーやボールの顔面上での若干の摩擦と押圧転動により、皮膚に対して適度な刺激を与えながら皮下の血流やリンパ流れを促進して血行を良くしてむくみも解消するというマッサージ効果が得られるものである（例えば、特許文献１、特許文献２参照。）。
【０００４】
【特許文献１】実用新案登録第３０８７１０５号公報
【特許文献２】実開平０６−６１２３５号公報
【考案の開示】
【考案が解決しようとする課題】
【０００５】
上記のような従来のマッサージ器では、全てのローラーやボールが同じ方向に転動するものであるため、そのマッサージ効果としては、血流やリンパ流れの促進が主なものである。
【０００６】
しかしながら、このような顔用マッサージ器においては、血行を良くしてぬくみを解消するマッサージ効果に加えてさらなる美容効果を望む使用者が多数であるのが現状である。
【０００７】
本考案の目的は、上記問題点に鑑み、従来のローラー式顔用マッサージ器よりもより優れたマッサージ効果が期待できる顔用マッサージローラーを提供することにある。
【課題を解決するための手段】
【０００８】
上記目的を達成するため、請求項１に記載の考案に係る顔用マッサージローラーは、  長尺状把手部と、該把手部の先端に設けられたマッサージ用ヘッド部とを備えた顔用マッサージローラーにおいて、
前記ヘッド部は、前記把手部に一体的に形成された枠部と、該枠部内にそれぞれ回転可能に軸支され、滑り止め加工された表面を有する円筒状の第１と第２と第３と第４と第５のローラーを備え、
前記第１〜第５のローラーは、前記把手部の長軸方向に外側から順に並んで配置され、前記五本のローラーのうち、第１と第３と第５のローラーは、その回転中心軸がそれぞれ前記把手部の長軸方向に対して直交して互いに平行であり、
第２と第４のローラーは、前記第３のローラーを挟んで略ハの字状となるように各回転中心軸が該第３のローラーの回転中心軸方向に対して予め定められた傾斜角度を有するものである。
【０００９】
請求項２に記載の考案に係る顔用マッサージローラーは、請求項１に記載の顔用マッサージローラーにおいて、前記第３のローラーの回転中心軸方向に対する第２と第４のローラーの回転中心軸の傾斜角度が、それぞれ０．２度〜２度の範囲内であることを特徴とするものである。
【００１０】
請求項３に記載の考案に係る顔用マッサージローラーは、請求項１又は２に記載の顔用マッサージローラーにおいて、前記第２と第４のローラーの回転中心軸方向長さが前記第１と第５のローラーの回転中心軸方向長さより長く、前記第３のローラーの回転中心軸方向長さが前記第２と第４のローラーの回転中心軸方向長さより長いことを特徴とするものである。
【００１１】
請求項４に記載の考案に係る顔用マッサージローラーは、請求項１〜３のいずれか１項に記載の顔用マッサージローラーにおいて、前記第１〜第５のローラーは、前記ヘッド部の表面側で、前記把手部長軸方向に沿って各ローラーの頂点を結ぶ曲線が前記枠部の上方に突出する略円弧を形成する配置であることを特徴とするものである。
【００１２】
請求項５に記載の考案に係る顔用マッサージローラーは、請求項４に記載の顔用マッサージローラーにおいて、前記第２と第４のローラーの外径が、前記第３のローラーの外径より小さく、前記第１と第５のローラーの外径が、前記第２と第４のローラーの外径より小さいことを特徴とするものである。
【００１３】
請求項６に記載の考案に係る顔用マッサージローラーは、請求項１〜５のいずれか１項に記載の顔用マッサージローラーにおいて、前記第１〜第５のローラーは、それぞれローラー両端の円筒内径に嵌合すると共にこの嵌合状態にて対応するローラーの端面を覆う一対のプラスチック製シャフト部材によって前記枠部に形成された軸受け部に軸支されているものである。
【００１４】
請求項７に記載の考案に係る顔用マッサージローラーは、請求項１〜６のいずれか１項に記載の顔用マッサージローラーにおいて、前記ヘッド部の裏面を覆うように前記枠部に取り付けられた裏蓋を備え、該裏蓋の内側の前記第１〜５のローラーとの間に磁石と赤外線放射セラミックスが装着されているものである。
【考案の効果】
【００１５】
本考案の顔用マッサージローラーにおいては、長尺状把手部の先端のマッサージ用ヘッド部の枠部内にそれぞれ回転可能に軸支された第１と第２と第３と第４と第５の円筒状ローラーのうち、第１と第５のローラーと共に前記把手部の長軸方向に対して直交して互いに平行に配置された第３のローラーの両側の第２と第４のローラーが、該第３のローラーを挟んで略ハの字状となるように第２と第４のローラーの各回転中心軸が第３のローラーの回転中心軸方向に対して予め定められた傾斜角度を有するものであるため、第２と第４のローラーは互いに異なる方向へ回転し、この第２と第４のローラーが当接する皮膚部分はそれぞれ異なる方向へ引っ張られることになり、第２と第４のローラーの間の皮膚は伸ばされた状態で間の第３のローラーによってマッサージされるので、血行を向上させると同時にむくみを解消するマッサージに加えて皺伸ばしマッサージも同時に行われるという効果がある。
【考案を実施するための最良の形態】
【００１６】
本考案による顔用マッサージローラーは、長尺状把手部の先端のマッサージ用ヘッド部の枠部内にそれぞれ回転可能に軸支された第１と第２と第３と第４と第５の円筒状ローラーのうち、第１と第５のローラーと共に前記把手部の長軸方向に対して直交して互いに平行に配置された第３のローラーの両側の第２と第４のローラーが、該第３のローラーを挟んで略ハの字状となるように第２と第４のローラーの各回転中心軸が第３のローラーの回転中心軸方向に対して予め定められた傾斜角度を有するものである。これによって、ヘッド部を顔面に押し当てて移動操作を行うと、各ローラーはそれぞれその回転方向に回転するが、第２と第４のローラーは、互いに異なる方向へ回転するため、この第２と第４のローラーが当接する皮膚部分は、それぞれ異なる方向へ引っ張られることになり、第２と第４のローラーの間の皮膚は伸ばされた状態で間の第３のローラーによってマッサージされる。
【００１７】
従って、本考案による顔用マッサージローラーで顔面マッサージを行うと、従来と同様のヘッド部を顔面に押し立てて往復移動させるという簡単な操作でありながら、血行を向上させむくみを解消するマッサージ効果に加えて皺伸ばしマッサージ効果も同時に得ることができる。
【００１８】
なお、前記第２と第４のローラーの回転中心軸の第３のローラーの回転中心軸に対する傾斜角度はそれぞれ０．２度〜２度の範囲内とすることが望ましい。即ち、互いに略ハの字を形成する第２と第４のローラーの回転中心軸同士の間の開度を最小で０．４度、最大で２度とすることが前記皺伸ばしマッサージ効果には好適である。上記範囲より角度が小さすぎると充分な皺伸ばし効果が得られず、使用感も全ローラーが平行に配置されている通常のものと変わらない。また、前記範囲より角度が大きすぎると、第２と第４のローラーにより引っ張り方向が離れすぎ、皮膚に対して痛みを感じる強い引っ張りとなってしまう。
【００１９】
このような第２の第４のローラーを他のローラーに対して角度を付けて配置する方法としては、例えば、枠部側の軸受けの向きを所定角度となるように形成しておく構成が好適である。この場合、ローラー自体は他のローラーと同じ構成のもので済むため、設計、製造が簡便となる。
【００２０】
また、第１〜第５のローラーの回転中心軸方向長さは全てそ揃えても良いが、第２と第４のローラーの回転中心軸方向長さが第１と第５のローラーの回転中心軸方向長さより長くて第３のローラーの回転中心軸方向長さが第２と第４のローラーの回転中心軸方向長さより長い設定、即ち真ん中の第３のローラー回転中心軸方向長さを最も長くし、その両隣の第２と第４のローラーの回転中心軸方向長さをその次に長くし、両端の第１と第５のローラーの回転中心軸方向長さを最も短いものとすることによって、ヘッド部の皮膚に当接される側の表面領域のうち、最もマッサージ効果に優れた中央部領域、即ち第３のローラーと第２，第４のローラーによる皮膚接触領域を広く確保することができる。
【００２１】
また、凹凸曲面である顔面に当接するヘッド部の表面は、平坦であるよりも上方に突出する曲面をなす構成とした方が、全ローラーが顔面により均等に押圧し易くなって全ローラーの良好な回転マッサージ状態が得られる。そこで、第１〜第５のローラーを、ヘッド部の表面側で、把手部長軸方向に沿って各ローラーの頂点を結ぶ曲線が枠部の上方に突出する略円弧を形成する配置とすればよい。
【００２２】
このような全ローラーの頂部を結ぶ曲線が円弧状となる配置構成としては、まず、第１〜第５のローラーの外径が全て同一である場合、枠部のローラーを軸支する左右両側縁部を表面側が上方へ突出するように円弧状に湾曲させ、各ローラーの軸受けをその湾曲に沿って設ければ、各ローラーの頂部も該湾曲と同心の円弧上に並び、全ローラの頂部からなる実質的なヘッド部の表面は上方に湾曲した曲面となる。
【００２３】
また、第２と第４のローラーの外径が、第３のローラーの外径より小さく、第１と第５のローラーの外径が、第２と第４のローラーの外径より小さいものとすれば、中央に配置された第３のローラーは外径が最大でその半径に相当する中心軸から頂部までの高さが最大となり、その両側で第３のローラーより外径が次に大きい第２と第４のローラーはそれぞれ中心軸から頂部までの高さが次に大きくなり、さらに最も外径が小さい両側の第１と第５のローラーはその中心軸から頂部までの高さが最小となる。従って第１〜第５のローラー全てをその回転中心軸を同一直線上に沿って軸支させても、各ローラーの中心軸から頂点までの高さが中央から両端に向かって順次小さくなるため、全ローラーの頂部を結ぶ曲線は略円弧状となりヘッド部の表面も実質的に曲面となる。また各ローラーの外径差を適宜設定することによって所望の前記円弧の曲率を所望の曲面相当とすることができる。
【００２４】
この場合、各ローラーを軸支する枠部の左右両側縁部を湾曲させる必要がないため、また角度を付けて配置する第２と第４のローラーの軸部の凹状軸受けへの挿入が、前記縁部の湾曲による軸受け間の高さ方向の位置ズレがないため容易となり、結果として枠部の設計、製造の手間は簡略化する。
【００２５】
なお、第１〜第５のローラーを枠部に回動可能に軸支させる構成としては、ローラーの両端面の回転中心軸上に設けた軸部を枠部に形成された軸受け部で軸支させるのが簡便である。このとき、軸部は、それぞれローラー両端の円筒内径に嵌合する一対のプラスチック製シャフト部材から構成することにより、シャフト部材が嵌合されるローラー両側の円筒内径が同一であれば、異なる長さのローラーにも同じシャフトを嵌め込んで使える。このため、同一形態のシャフトを予め形成しておけばよく、製品製造工程が容易である。
【００２６】
また、ローラー及び枠部がステンレス等の金属製である場合、ローラーの回転の際にローラーと枠部が接すると使用者に不快な金属衝突音が生じることがあった。しかし、前記プラスチック製のシャフト部材をローラー嵌合状態において対応するローラーの端面を覆う形態とすることによって、このシャフト部材がローラー両端で枠部との間の緩衝部材となり、不快な金属衝突音の発生を防ぐことができる。
【００２７】
さらに、本考案の顔用マッサージローラーにおいて、血行をさらに促進する磁波を生じる磁石や遠赤外線を放射して温熱効果を与えるセラミックスを装着してマッサージ効果を向上させる構成としてもよい。この場合、ヘッド部の裏面を覆うように裏蓋を枠部に取り付ければ、該裏蓋の内側の第１〜５のローラーとの間に形成される空間にこれら磁石と赤外線放射セラミックスを収納して装着できる。
【００２８】
なお、各ローラーの表面の滑り加工としては、特にその形状を限定するものではなく、使用時に皮膚へ必要以上の強い刺激を与えることなく適度な摩擦でローラーを良好に回転させ得る程度のものであれば良い。例えば、浅くて、細かい綾目や網目のローレット加工が好適である。
【実施例１】
【００２９】
本考案の第１の実施例による顔用マッサージローラーを図１の概略構成図に示す。図１（ａ）は本顔用マッサージローラーの平面図、（ｂ）は本顔用マッサージローラーの側面図、（ｃ）は（ａ）のＡ−Ａ断面図である。本顔用マッサージローラー１は、主に長尺状の把手部２とその先端に設けられたマッサージ用ヘッド部３とから構成されている。ヘッド部３には、把手部２から一体に形成された枠部４の左右両側縁部（４ａ，４ｂ）間に、第１と第２と第３と第４と第５のローラー（５，６，７，８，９）が回転可能の軸支されており、その配置は、把手部２の長軸Ｘの方向に外側から順に並んでいる。
【００３０】
これら五本のローラーのうち、第１と第３と第５のローラー（５，７，９）は、その各回転中心軸（５ｙ，７ｙ，９ｙ）がそれぞれ把手部２の長軸Ｘ方向に対して直交し、互いに平行である。一方、第２と第４のローラー（６，８）は、第３のローラー７を挟んで略ハの字状となるように各回転中心軸（６ｙ，８ｙ）が該第３のローラ７ーの回転中心軸７ｙ方向に対してそれぞれ０．２度〜２度の傾斜角度αを持つように枠部４に軸支されている。
【００３１】
本実施例においては、ローラーの両端軸部を枠部４の左右両側縁部（４ａ，４ｂ）の内側のそれぞれ対応箇所に形成された凹状軸受けに緩挿することによって回転可能な軸支状態としている。従って、第２と第４のローラー（６，８）に対応する凹状軸受けを、その向きが対応する角度となるように形成することによって、第２と第４のローラー（６，８）を上記の如く第３のローラー８を挟んでハの字状となる所定角度α持って配置できるものとした。
【００３２】
また、第１〜第５のローラー（５，６，７，８，９）は、全て同じ外径及び内径を有する円筒形状のものであり、その表面に滑り止めとして浅く細かい綾目（ピット０．５ｍｍ程度）のローレット加工を施したものである。また、各ローラーの両端部は、それぞれ外周角縁が全周に亘りＣ面取りされている。
【００３３】
各ローラーを枠部４の左右両側縁部（４ａ，４ｂ）に形成された凹状軸受けに緩挿させるための軸部は、図２（ａ）に示すように、ローラーの両端に嵌合するプラスチック製のシャフト部材１０で構成した。このシャフト部材１０は、ローラーの両側から円筒内に挿入嵌合される筒状嵌合部１２と軸突起１１とこれら両者の間の鍔部１３とが一体成形されたものである。
【００３４】
筒状嵌合部１２は、先端部がローラーの円筒内に挿入されやすいように若干縮径されていると共にその後側（鍔部１３側）の胴体は円筒内径より若干大きい外径となっている。そこで、図２（ｂ）に示すように、先端部を円筒内に挿入した後、胴体の円筒内への挿入はきつくなるが、プラスチックの可撓性により強制的に押し込むことにより筒状嵌合部１２の挿入嵌合はなされる。従って、筒状嵌合部１２の胴体がローラー円筒内壁面を強く押圧することによってシャフト部材１０の嵌合状態は強固となり、外れることはない。
【００３５】
また、このシャフト部材１０の嵌合完了状態においては、図２（ｃ）に示すように鍔部１３がローラーの端面に当接して覆うため、ローラーの軸支状態においては、ローラーと枠部との間にこの鍔部１３が介在することになる。従って、ローラーおよび枠部がステンレス等の金属製であっても、鍔部１３が緩衝材となって不快な金属衝突音が生じることはない。このようにローラーの両側に別体のシャフト部材１０を嵌合する構成においては、同じ内径のローラーであれば長さの異なるものであっても何ら影響なく共通して使用できるので、異なる長さのローラー毎に長さの異なる軸部材を設ける必要もなく、設計、製造が簡便である。
【００３６】
本実施例においては、第１〜第５のローラー（５，６，７，８，９）の回転中心軸方向の長さを全て揃えるのではなく、中央に配置される第３のローラ７を最も長いものとし、その両隣の第２と第４のローラー（６，８，）を次に長く、両端の第１と第５のローラー（５，９）を最も短くした。これによって、ヘッド部３の表面領域のうち中央部領域の面積を広くした。
【００３７】
ただし、ヘッド部３の表面積が大きすぎて顔面への当接状態が不良で操作性が悪くならないように、各ローラーの長さと外径は好適なものに設定する。例えば、全ローラーの外径を各ローラーが顔面の細かい凹凸に沿って当接しやすい寸法である約７ｍｍとした場合、回転中心軸方向の長さは、第３のローラー７を最長の１７ｍｍとし、第２と第４のローラー（６，８）は１６ｍｍ、第１と第５のローラー（５，９）は最短の１５ｍｍとすれば、ヘッド部３の表面識は適度な皮膚当接面積に相当したものとなる。なお、各ローラー間には、隣合うローラー同士が回転時に衝突することのないように僅かな隙間を確保する。
【００３８】
また、本実施例においては、図１（ｂ）の側面図に示すように、枠部４の左右両側縁部（４ａ，４ｂ）が上方に突出するように湾曲したものである。従って、第１〜第５のローラー（５，６，７，８，９）はこの湾曲に沿って軸支されるため、各ローラーの頂点を結ぶ曲線Ｚ１が枠部４の上方に突出する円弧状となる。これにより、ヘッド部３の表面は実質的に曲面となり、該曲面は顔面の大まかな凹凸に対して全体的により良好に沿い、マッサージ中に顔面から浮く感覚はほとんどない。従って全ローラーが常に同時に押圧転動される状態となるため、充分なマッサージ効果と使用感が得られる。なお、前記曲線Ｚ１が曲率半径１００ｍｍ程度となる設定が、上記のような顔面への良好な当接状態を実現でき、最適である。
【００３９】
また本実施例においては、マッサージ効果をさらに向上させるため、磁石１６と赤外線放射セラミックス１７を装着するものとした。そのため、ヘッド部３の裏面を覆うように枠部４に裏蓋１５を取り付け、該裏蓋１５の内側の第１〜５のローラー（５，６，７，８，９）との間に磁石１６と赤外線放射セラミックス１７が装着できる収納空間を形成する構成とした。
【００４０】
以上の構成を備えた本実施例による顔用マッサージローラー１においては、把手部３を握ってヘッド部３の表面側を顔面に押し当てて移動操作を行うと、各ローラー（５，６，７，８，９）はそれぞれその回転方向に回転する。このとき、第３のローラー７を挟んでハの字状に配置された第２と第４のローラー（６，８）は、互いに異なる方向へ回転する。このため、これら第２と第４のローラー（６，８）が当接する皮膚部分は、それぞれ異なる方向へ引っ張られ、第２と第４のローラー（６，８）の間の皮膚領域は伸ばされた状態で間の第３のローラー７によってマッサージされる。これにより、ヘッド部３を顔面に押し立てて往復移動させるという簡単な操作でありながら、血行を向上させむくみを解消するマッサージ効果に加えて皺伸ばしマッサージ効果も同時に得ることができる。
【実施例２】
【００４１】
上記実施例においては、ヘッド部の表面を適度な曲面とするために、枠部の左右両側縁部を湾曲させて該湾曲に沿って第１〜第５のローラー（５，６，７，８，９）を軸支させる構成とした場合を示したが、本考案の第２の実施例として、ヘッド部表面を実質的に曲面とする他の構成を備えた顔用マッサージローラー２０を図３の側断面図に示す。
【００４２】
本実施例においては、第１〜第５のローラー（２５，２６，２７，２８，２９）について、適宜外径を異なるものに設定することにより、ヘッド部２３の表面を実質的な曲面とするものである。
【００４３】
即ち、第３のローラー２７を他より最も外径が大きいものとし、両隣の第２と第４のローラー（２６，２８）を次に外径が大きいものとし、両端の第１と第５のローラー（２５，２９）を最も外径が小さいものとした。これによって、全ローラーをその回転中心軸が同一直線上に沿うように配置しても、各ローラーの頂部を結ぶ曲線Ｚ２は、ヘッド部２３の上方に突出する円弧とすることができる。
【００４４】
従って、各ローラー同士の中心軸から頂部までの高さの違い、即ち外径の差違を適宜設定することによって、前記曲線Ｚ２を、顔面当接に好適な曲面相当の曲率半径１００ｍｍの円弧とすることができる。
【００４５】
この場合、上記実施例のように枠部の左右両側縁部を湾曲させる必要がなくなり、また、また角度を付けて配置する第２と第４のローラーの軸部の凹状軸受けへの挿入が、前記縁部の湾曲による軸受け間の高さ方向の位置ズレがないため容易となり、枠部の設計、製造が容易となる。
【図面の簡単な説明】
【００４６】
【図１】本考案の第１実施例による顔用マッサージローラーの概略構成図であり、（ａ）は平面図、（ｂ）は側面図、（ｃ）は（ａ）のＡ−Ａ−断面図である。
【図２】各ローラーに嵌合されるシャフト部材の構成を説明する模式図であり、（ａ）はシャフト部材嵌合前の状態を示す側面図、（ｂ）はシャフト部材の嵌合初め状態を示す断面図、（ｃ）はシャフト部材の嵌合完了状態を示す側面図である。
【図３】本考案の第２実施例による顔用マッサージローラーの概略構成を示す側断面図である。
【符号の説明】
【００４７】
１,２０：顔用マッサージローラー
２，２２：把手部
Ｘ：把手部の長軸
３，２３：ヘッド部
４：枠部
４ａ，４ｂ：左右両側縁部
５：第１のローラー
５ｙ：第１のローラー５の回転中心軸
６：第２のローラー
６ｙ：第２のローラー６の回転中心軸
７：第３のローラー
７ｙ：第３のローラー７の回転中心軸
８：第４のローラー
８ｙ：第４のローラー８の回転中心軸
９：第５のローラー
９ｙ：第５のローラー９の回転中心軸
１０：シャフト部材
１１：軸突起
１２：筒状嵌合部
１３：鍔部
１５：裏蓋
１６：磁石
１７：セラミックス
２５：第１のローラー
２６：第２のローラー
２７：第３のローラー
２８：第４のローラー
２９：第５のローラー
【図１】
0003143397.tif 000003
【図２】
0003143397.tif 000004
【図３】
0003143397.tif 000005